(57)【要約】【課題】燃料電池システムにおいて、供給される大気雰囲気中の空気に含まれるシロキサン化合物を除去するシロキサン除去装置の性能低下を検知する。【解決手段】供給される大気雰囲気中の空気が第１のシロキサン除去装置７を経由して、燃料電池１に供給する燃料電池システムにおいて、大気雰囲気中の空気のシロキサンを除去するシロキサン除去装置と、燃焼器を備える燃料電池システムにおいて、所定の運転条件において、前記燃焼検知器からの温度出力が、所定の時間以上かけて所定の出力以下に低下した場合に、第１のシロキサン除去装置及び第２のシロキサン除去装置の性能低下を検知し、シロキサン除去装置の異常と判定する、異常を検知、又は、燃料電池を停止する制御器を備える。【選択図】図１
2014182924.tif 000002
【特許請求の範囲】
【請求項１】
水素含有ガス及び酸化剤ガスを用いて発電する燃料電池と、
前記酸化剤ガスを前記燃料電池に供給する酸化剤ガス供給器と、
前記水素含有ガスを前記燃料電池に供給する水素含有ガス供給器と、
前記水素含有ガス又は前記燃料電池のアノードから排出されるガスである可燃性ガス及び燃焼空気を燃焼させる燃焼器と、
前記燃焼空気を供給する燃焼空気供給器と、
前記燃焼器の燃焼状態を検知する燃焼検知器と、
燃料電池に供給される酸化剤ガスのシロキサンを除去する第１のシロキサン除去装置と、
前記燃焼器に供給される前の燃焼空気中のシロキサンを除去する第２のシロキサン除去装置と、
所定の運転条件において、前記燃焼検知器からの出力が、所定の時間以上かけて所定の出力以下に低下した場合に、前記シロキサン除去装置の異常と判定する、異常を報知する、又は、前記燃料電池を停止する制御器と、
を備えた、燃料電池システム。
【請求項２】
前記所定の運転条件は、起動の際に、前記制御器が前記燃焼器に供給される可燃性ガスの流量を第１の流量とし、前記燃焼空気の流量を第２の流量とする条件である、請求項１に記載の燃料電池システム。
【請求項３】
前記燃焼検知器は、フレームロッド、熱電対又は光学式火炎検知器である、請求項１又は２に記載の燃料電池システム。
【請求項４】
原料ガスを改善して水素含有ガスを生成する改質器をさらに備え、
前記所定の運転条件は、前記燃料電池の発電中に、前記制御器が、前記燃料電池の出力を第１の出力として、前記改質器の温度を第１の温度とし、原料ガス中の炭素数に対する水蒸気のモル比を第１の比に制御する条件である、請求項１〜３のいずれか１つに記載の燃料電池システム。
【請求項５】
前記所定の条件は、さらに、前記燃料電池の電圧が、所定電圧以上の条件である、請求項４に記載の燃料電池システム。
【請求項６】
運転状態を表示する表示器を備え、
前記制御器は、前記所定の運転条件において、前記燃焼検知器からの出力が、所定の時間以上かけて所定の出力以下に低下した場合に、前記表示器に少なくとも前記第１のシロキサン除去装置の交換を促す旨の表示を行う、請求項１〜５のいずれか１つに記載の燃料電池システム。
【発明の詳細な説明】
【技術分野】
【０００１】
本発明は、燃料電池システムに関する。
【背景技術】
【０００２】
地球温暖化などの背景には、化石燃料の使用量の増加があり、その使用量抑制には高効率なエネルギーシステムの設計が重要である。そのため、高い発電効率を誇る燃料電池は、脚光を集めており開発が進められている。家庭用向けに燃料電池のコージェネレーションシステムが販売開始以降、その設置環境は多様になっており、様々な環境に耐えうる燃料電池システムの構築は重要な課題となっている。燃料電池システムは大気中の空気を燃料電池のカソード極側や、燃焼器に利用しているので、大気中の空気に不純物を除去する必要がある。
【０００３】
大気中に含まれる不純物の中で、燃料電池に影響を及ぼす物質としてはシロキサン化合物が挙げられる。シロキサン化合物はヘアスプレーや化粧品などに含まれる物質であり、日常生活に密着した物質である。そのため、シロキサン化合物は、前記製品使用時には大気中に浮遊し、また、生活排水となって下水処理場などで、消化過程において消化ガス（バイオガス）に含まれ、大気中にも拡散する。また、農業廃棄物や農産品を消化ガスの原料として用いた場合においても、生物由来のシリコンによってシロキサン化合物が消化過程において消化ガスに含まれる。このようにシロキサン化合物が大気中に含まれる可能性が考えられるので、シロキサン化合物を除去するシステムが必要となってくる。
【０００４】
ここで、シロキサン化合物とは、シロキサン結合（Ｓｉ−Ｏ−Ｓｉ）を基本骨格とした鎖状または環状構造の化合物のことである。シロキサン化合物は、燃焼過程において燃焼バーナー内でシリカ（ＳｉＯ２）へと反応し、析出、付着する。そのため、改質器や燃料電池内の触媒の表面を被覆し、改質性能及び発電性能を劣化させたり、構成部品に付着・析出し磨耗やガス流れが変化したりするという不具合が生じる。
【０００５】
そこで、シロキサン化合物を含有した大気雰囲気下においても耐久性を確保した燃料電池システムを構築することが燃料電池システムに求められる。燃料電池システムにおいては、燃料電池のカソード側や燃焼器などに大気雰囲気の空気を供給するので、それらの前段階に特許文献１及び２のようなシロキサン除去装置などを設けて、大気雰囲気下の空気を精製した上で利用する必要がある。
【先行技術文献】
【特許文献】
【０００６】
【特許文献１】特開２００２−１３８８５１号公報
【特許文献２】特開２００６−８８７５号公報
【発明の概要】
【発明が解決しようとする課題】
【０００７】
シロキサン化合物を含む大気雰囲気の空気を精製するためのシロキサン除去装置は、シロキサン化合物の除去量が積み重なるに伴って、除去性能が低下し、シロキサン化合物が燃料電池のカソード側に流入してしまう恐れがある。シロキサン化合物が燃料電池のカソード側に流入すると、触媒上でシリカとして析出し、触媒層の被表面積が低下し、発電性能が低下する恐れがある。しかしながら、大気雰囲気下に含まれるシロキサン化合物量は安定していないため、定期的なシロキサン除去装置の交換では、シロキサン除去装置の性能低下を検知することができなかった。そのため、シロキサン除去装置の性能低下を検知
し、燃料電池にシロキサンが流入することを抑制することが望ましい。
【０００８】
従って、本発明は、大気雰囲気の空気を精製するシロキサン除去装置の性能が低下を検知し、シロキサン化合物により燃料電池が劣化することを抑制することを目的とする。
【課題を解決するための手段】
【０００９】
上記課題を解決するために、本発明に関する燃料電池システムは、水素含有ガス及び酸化剤ガスを用いて発電する燃料電池と、前記酸化剤ガスを前記燃料電池に供給する酸化剤ガス供給器と、前記水素含有ガスを前記燃料電池に供給する水素含有ガス供給器と、前記水素含有ガス又は前記燃料電池のアノードから排出されるガスである可燃性ガスと燃焼空気とを燃焼させる燃焼器と、前記燃焼空気を供給する燃焼空気供給器と、前記燃焼器の燃焼状態を検知する燃焼検知器と、燃料電池に供給される酸化剤ガスのシロキサンを除去する第１のシロキサン除去装置と、前記燃焼器に供給される前の燃焼空気中のシロキサンを除去する第２のシロキサン除去装置と、所定の運転条件において、前記燃焼検知器からの出力が、所定の時間以上かけて所定の出力以下に低下した場合に、前記シロキサン除去装置の異常と判定する、異常を報知する、又は、前記燃料電池を停止する制御器と、を備えるものである。
【００１０】
また、本発明の前記所定の条件は、起動の際に、前記制御器が前記燃焼器に供給される可燃性ガスの流量を第１の流量とし、前記燃焼空気の流量を第２の流量とする条件であることを特徴とする。ここで可燃性ガスとは、例えば、天然ガス、水素ガス、アノードオフガスなどである。
【００１１】
また、本発明の燃料電池システムの前記燃焼検知器は、フレームロッド、熱電対又は光学式火炎検知器であってもよい。
【００１２】
また、本発明の燃料電池システムは、原料ガスを改質して水素含有ガスを生成する改質器をさらに備え、前記所定の運転条件は、前記燃料電池の発電中に、前記制御器が、前記燃料電池の出力、前記改質器の温度及び原料ガス中の炭素数に対する水蒸気のモル比を第１の比に制御する条件であってもよい。
【００１３】
また、本発明の燃料電池システムの前記所定の条件は、さらに、前記燃料電池の電圧が所定電圧以上の条件であってもよい。
【００１４】
また、本発明の燃料電池システムは、運転状態を表示する表示器を備え、前記制御器は、前記所定の運転条件において、前記燃焼検知器からの出力が、所定の時間以上かけて所定の出力以下に低下した場合に、前記表示器に前記シロキサン除去装置の性能の低下を表示する、又は交換を促す旨の表示を行う構成であってもよい。
【発明の効果】
【００１５】
本発明の燃料電池システムによれば、燃料電池又は燃焼器に供給する空気を精製するためのシロキサン除去装置の性能の低下を検知し、シロキサン化合物により燃料電池が劣化することを抑制することができる。
【図面の簡単な説明】
【００１６】
【図１】本発明の実施の形態１に係る燃料電池システムの構成を模式的に示すブロック図。
【図２】本発明の実施の形態１に係る燃料電池システムの運転フロー図。
【図３】本発明の実施の形態２に係る燃料電池システムの構成を模式的に示すブロック図。
【図４】本発明の実施の形態２に係る燃料電池システムの運転フロー図。
【発明を実施するための形態】
【００１７】
以下本発明の実施の形態について、図面を参照しながら説明する。
【００１８】
（実施の形態１）
実施の形態１の燃料電池システムは、水素含有ガス及び酸化剤ガスを用いて発電する燃料電池と、前記酸化剤ガスを前記燃料電池に供給する酸化剤ガス供給器と、前記水素含有ガスを前記燃料電池に供給する水素ボンベと、前記水素ボンベから排出されるガス及び燃焼空気を燃焼させる燃焼器と、前記燃焼空気を供給する燃焼空気供給器と、前記燃焼器の燃焼状態を検知するフレームロッドと、燃料電池に供給される酸化剤ガスのシロキサンを除去する第１のシロキサン除去装置と、前記燃焼器に供給される前の燃焼空気中のシロキサンを除去する第２のシロキサン除去装置と、所定の運転条件において、前記燃焼検知器からの出力が、所定の時間以上かけて所定の出力以下に低下した場合に、前記第１のシロキサン除去装置及び第２のシロキサン除去装置の異常と判定する、異常を報知、又は、燃料電池１を停止する制御器を備えるものである。
【００１９】
かかる構成では、第１のシロキサン除去装置７及び第２のシロキサン除去装置８の性能の低下を検知し、シロキサン化合物により燃料電池１が劣化が進行する前に停止する、又は、シロキサン除去装置を適切な時期に交換することが可能となる。
次に、実施の形態１における燃料電池システムの詳細について説明する。
【００２０】
図１は、本発明の実施の形態１における燃料電池システム１００を示す概略図である。
【００２１】
図１に示すように、本実施の形態１における燃料電池システム１００は、水素含有ガス及び酸化剤ガスを用いて発電する燃料電池１と、前期酸化剤ガスを前記燃料電池に供給する酸化剤ガス供給器２と、前記水素含有ガスを前記燃料電池１に供給する水素ボンベ３と、前記水素ボンベ３から排出されるガス及び燃焼空気を燃焼させる燃焼器４と、前記燃焼器４の燃焼状態を検知するフレームロッド５と、燃料電池に供給される酸化剤ガスのシロキサンを除去する第１のシロキサン除去装置７と、前記燃焼器に供給される前の燃焼空気中のシロキサンを除去する第２のシロキサン除去装置８と、所定の運転条件において、前記燃焼検知器からの出力が、所定の時間以上かけて所定の出力以下に低下した場合に、前記第１のシロキサン除去装置７及び第２のシロキサン除去装置８の異常と判定する又は異常を報知し、燃料電池１を停止する制御器９を備えている。
【００２２】
次に、本実施の形態の燃料電池システム１００の第１のシロキサン除去装置７及び第２のシロキサン除去装置８の交換時期検知の動作フローについて説明する。
【００２３】
図２は、燃料電池システム１００における、第１のシロキサン除去装置７及び第２のシロキサン除去装置８の性能の低下時期を検知する動作フロー図である。
【００２４】
図２に示すように、燃料電池システム１００の第１のシロキサン除去装置７の性能低下時期の検知において、まず、水素ボンベの流量を第１の流量とし、燃焼空気の流量を第２の流量として供給し（ステップＳ１１）、燃焼器を着火する（ステップＳ１２）。フレームロッド５からの出力（イオン電流値）を検出し（ステップ１３）、所定の時間以上かけて所定の出力以下に低下した場合に、前記第１のシロキサン除去装置７及び第２のシロキサン除去装置８の異常と判定し又は異常を検知し（ステップＳ１４）、第１のシロキサン除去装置７及び第２のシロキサン除去装置８の交換の旨を表示器１０に表示し、（ステップＳ１５）、水素ボンベからの水素の供給を停止する（ステップＳ１６）。その表示に基づき、第１のシロキサン除去装置７及び第２のシロキサン除去装置８、フレームロッド５
を交換もしくは修理する。また前記第１のシロキサン除去装置７及び第２のシロキサン除去装置８の構成部品である多孔質吸着剤、例えばゼオライト、及びガスフィルタ、ミストセパレータなどを交換もしくは修理する。
【００２５】
ここで、所定の運転条件とは、起動の際に、制御器９が燃焼器に供給する水素含有ガスの第１の流量を、例えば１〜５ＮＬＭ（Ｌ／ｍｉｎ（ｎｏｒｍａｌ））の任意の流量とし、燃焼空気の第２の流量を、例えば１０〜２０ＮＬＭの任意の流量とする条件である。これで同条件下において、イオン電流値を測定することができる。同条件下でイオン電流値の低下を検知すれば、フレームロッド５にシロキサンが付着していると推定でき、第１のシロキサン除去装置７及び第２のシロキサン除去装置８が異常であると判別できる。
【００２６】
イオン電流値が低下する場合として、失火（消火）する場合が考えられるが、この場合は、急激にイオン電流値が低下する。一方、シロキサン除去装置の異常の場合は、比較的緩やかにイオン電流値が低下する。そのため、単位時間当たりのイオン電流値の低下を検出することによって、失火と第１のシロキサン除去装置７及び第２のシロキサン除去装置８の異常を判別し、燃料電池１を停止することができる。
【００２７】
（変形例１）
実施の形態１の変形例１に係る水素生成装置は、実施の形態１の燃料電池システムにおいて、燃焼検知器として、フレームロッドの代わりに熱電対を備えるものである。
【００２８】
かかる構成では、第１のシロキサン除去装置７及び第２のシロキサン除去装置８の性能の低下を検知し、シロキサン化合物により燃料電池１が劣化が進行する前に停止する又は、適切な時期にシロキサン除去装置を交換することが可能となる。
【００２９】
燃料電池システム１００の第１のシロキサン除去装置７及び第２のシロキサン除去装置８の交換時期検知において、まず、水素ボンベ３を所定の運転条件で供給し、熱電対からの温度出力が、所定の時間以上かけて所定の温度出力以下に低下した場合に、前記シロキサン除去装置の異常と判定又は異常を検知し、燃料電池１を停止し、第１のシロキサン除去装置７及び第２のシロキサン除去装置８の故障の旨を表示器１０に表示する。また、シロキサン除去装置の交換を促す旨を表示してもよい。その表示に基づき、第１のシロキサン除去装置７及び第２のシロキサン除去装置８及び熱電対を交換もしくは修理する。また前記第１のシロキサン除去装置７及び第２のシロキサン除去装置８の構成部品である多孔質吸着剤、例えばゼオライト、及びガスフィルタ、ミストセパレータなどを交換もしくは修理する。
【００３０】
ここで、所定の運転条件とは、実施の形態１の運転条件である。
【００３１】
熱電対の温度出力が低下する場合として、失火する場合が考えられるが、この場合は、温度出力が急激に低下する。一方、シロキサン除去装置の異常の場合は、比較的緩やかに温度出力が低下する。そのため、単位時間当たりの温度出力の低下を検出することによって、失火と第１のシロキサン除去装置７及び第２のシロキサン除去装置８の異常を判別し、燃料電池１を停止することができる。
【００３２】
（変形例２）
実施の形態１の変形例２に係る水素生成装置は、実施の形態１の燃料電池システムにおいて、燃焼検知器として、フレームロッドの代わりに光学式火炎検知器を備えるものである。
【００３３】
かかる構成では、第１のシロキサン除去装置７及び第２のシロキサン除去装置８の性能
の低下を検知し、シロキサン化合物により燃料電池１が劣化が進行する前に停止することが可能となる。
【００３４】
燃料電池システム１００の第１のシロキサン除去装置７及び第２のシロキサン除去装置８の交換時期検知において、まず、水素ボンベ３を所定の運転条件で供給し、光学式火炎検知器からの温度出力が、所定の時間以上かけて所定の温度出力以下に低下した場合に、前記シロキサン除去装置の異常と判定又は異常を検知し、燃料電池１を停止し、第１のシロキサン除去装置７及び第２のシロキサン除去装置８の故障の旨を表示器１０に表示する。また、シロキサン除去装置の交換を促す旨を表示してもよい。その表示に基づき、第１のシロキサン除去装置７及び第２のシロキサン除去装置８及び光学式火炎検知器を交換もしくは修理する。また前記第１のシロキサン除去装置７及び第２のシロキサン除去装置８の構成部品である多孔質吸着剤、例えばゼオライト、及びガスフィルタ、ミストセパレータなどを交換もしくは修理する。
【００３５】
ここで、所定の運転条件とは、実施の形態１の運転条件である。
【００３６】
光学式火炎検知器の温度出力が低下する場合として、失火する場合などが考えられるが、この場合は、温度出力が急激に低下する一方、シロキサン除去装置の異常の場合は、比較的緩やかに温度出力が低下する。そのため、単位時間当たりの温度出力の低下を検出することによって、失火と第１のシロキサン除去装置７及び第２のシロキサン除去装置８の異常を判別し、燃料電池１を停止することができる。
【００３７】
（実施の形態２）
実施の形態２の燃料電池システムは、実施の形態１の水素ボンベの代わりに水素生成装置を備えるものである。
【００３８】
かかる構成では、第１のシロキサン除去装置７及び第２のシロキサン除去装置８の性能の低下を検知し、シロキサン化合物により燃料電池１が劣化が進行する前に停止ことが可能となる。
【００３９】
次に、実施の形態２における燃料電池システムの詳細について説明する。
【００４０】
図３は、本発明の実施の形態２における燃料電池システム２００を示す概略図である。
【００４１】
図３に示すように、本実施の形態２における燃料電池システム２００は、実施の形態１の燃料電池システム１００の水素ボンベ３の代わりに水素生成装置２０を備えている。
【００４２】
流路に関して、起動時に、原料ガスは第１の原料ガス流路２２から水素生成装置２０に入り、開閉弁１１及び開閉弁１２が共に閉じ、開閉弁１３が開いた状態で、バイパス経路１６を通る第２のガス流路１５に流れる。水素生成装置２０から生成されたガスは、水素含有量が十分になったところで、開閉弁１１及び開閉弁１２が開き、開閉弁１３が閉じた状態で燃料ガス経路１７及びアノードオフガス経路１８を通る第１のガス流路１４に流れ、発電が開始する。
【００４３】
図４は、燃料電池システム２００における、第１のシロキサン除去装置７及び第２のシロキサン除去装置８の性能の低下時期検知の動作フロー図である。
【００４４】
図４に示すように、燃料電池システム２００の第１のシロキサン除去装置７及び第２のシロキサン除去装置８性能の低下時期検知において、まず、燃料電池の出力を第１の出力として、前記改質器の温度を第１の温度とし、原料ガス中の炭素数に対する水蒸気のモル
比を第１の比に制御し、原料ガス及び、燃焼空気、水を供給し（ステップＳ２１）、燃焼器４に着火し（ステップＳ２２）、フレームロッド５からのイオン電流値の出力を検出し（ステップＳ２３）、所定の時間以上かけて所定の出力以下に低下した場合に（ステップＳ２４）、前記第１のシロキサン除去装置７及び前記第２のシロキサン除去装置８の異常と判定又は異常を検知し、燃料電池１を停止し、第１のシロキサン除去装置７及び第２のシロキサン除去装置８の故障の旨を表示器１０に表示し（ステップＳ２５）、原料の供給を停止する（ステップＳ２６）。また、シロキサン除去装置の交換を促す旨を表示してもよい。その表示に基づき、第１のシロキサン除去装置７及び第２のシロキサン除去装置８の構成部品である多孔質吸着剤、例えばゼオライト、及びガスフィルタ、ミストセパレータなどを交換もしくは修理する。
【００４５】
ここで、所定の運転条件とは、燃料電池１の発電の際に、前記制御器９が前記燃料電池１の出力を１〜２ｋＷの任意の出力とし、前記改質器の温度を６００〜８００度の任意の温度とし、原料ガス中の炭素数に対する水蒸気のモル比を２〜３の任意の比とする条件である。なおモル比を固定する方法として、原料ガスと水の体積流量の比を第１の比にしてもいい。これで同条件下において、イオン電流値を測定することができる。同条件下でイオン電流値の低下を検知すれば、フレームロッド５にシロキサンが付着していると推定でき、第１のシロキサン除去装置７及び第２のシロキサン除去装置８に異常があると判別し、燃料電池１を停止することができる。
【００４６】
イオン電流値の出力が低下する場合として、失火する場合などが考えられるが、この場合は、急激にイオン電流値が低下するため、判別することができる。
【００４７】
（変形例３）
実施の形態２の変形例３に係る燃料電池システムは、実施の形態２の燃料電池システムにおいて、燃焼検知器として、フレームロッドの代わりに熱電対を備えるものである。
【００４８】
かかる構成では、第１のシロキサン除去装置７及び第２のシロキサン除去装置８の性能の低下を検知し、シロキサン化合物により燃料電池１が劣化が進行する前に停止することが可能となる。
【００４９】
燃料電池システム１００の第１のシロキサン除去装置７及び第２のシロキサン除去装置８の交換時期検知において、まず、原料ガス供給器１９を所定の運転条件で供給し、熱電対からの温度出力が、所定の時間以上かけて所定の温度出力以下に低下した場合に、前記シロキサン除去装置の異常と判定又は異常を検知し、燃料電池１を停止し、第１のシロキサン除去装置７及び第２のシロキサン除去装置８の故障の旨を表示器１０に表示する。また、シロキサン除去装置の交換を促す旨を表示してもよい。その表示に基づき、第１のシロキサン除去装置７及び第２のシロキサン除去装置８及び熱電対を交換もしくは修理する。また前記第１のシロキサン除去装置７及び第２のシロキサン除去装置８の構成部品である多孔質吸着剤、例えばゼオライト、及びガスフィルタ、ミストセパレータなどを交換もしくは修理する。
【００５０】
ここで、所定の運転条件とは、実施の形態２の所定の運転条件である。
【００５１】
熱電対の温度出力が低下する場合として、失火する場合などが考えられるが、この場合は、温度出力が急激に低下するため、失火と第１のシロキサン除去装置７及び第２のシロキサン除去装置８の異常を判別し、燃料電池１を停止することができる。
【００５２】
（変形例４）
実施の形態２の変形例４に係る燃料電池システムは、実施の形態２の燃料電池システム
において、燃焼検知器として、フレームロッドの代わりに光学式火炎検知器を備えるものである。
【００５３】
かかる構成では、第１のシロキサン除去装置７及び第２のシロキサン除去装置８の性能の低下を検知し、シロキサン化合物により燃料電池１が劣化が進行する前に停止することが可能となる。
【００５４】
燃料電池システム１００の第１のシロキサン除去装置７及び第２のシロキサン除去装置８の交換時期検知において、まず、原料ガス供給器１９を所定の運転条件で供給し、光学式火炎検知器からの温度出力が、所定の時間以上かけて所定の温度出力以下に低下した場合に、前記シロキサン除去装置の異常と判定又は異常を検知し、燃料電池１を停止し、第１のシロキサン除去装置７及び第２のシロキサン除去装置８の故障の旨を表示器１０に表示する。その表示に基づき、第１のシロキサン除去装置７及び第２のシロキサン除去装置８及び光学式火炎検知器を交換もしくは修理する。また前記第１のシロキサン除去装置７及び第２のシロキサン除去装置８の構成部品である多孔質吸着剤、例えばゼオライト、及びガスフィルタ、ミストセパレータなどを交換もしくは修理する。
【００５５】
ここで、所定の運転条件とは、実施の形態２の所定の運転条件である。
【００５６】
光学式火炎検知器の温度出力が低下する場合として、失火する場合などが考えられるが、この場合は、温度出力が急激に低下するため、失火と第１のシロキサン除去装置７及び第２のシロキサン除去装置８の異常を判別し、燃料電池１を停止することができる。
【産業上の利用可能性】
【００５７】
本発明は、シロキサン化合物を含む大気中の空気からシロキサンを除去するためのシロキサン除去装置が付帯した固体高分子型燃料電池や固体酸化物型燃料電池などの燃料電池を備えた、燃料電池システムに有用である。
【符号の説明】
【００５８】
１  燃料電池
２  酸化剤ガス供給器
３  水素ボンベ
４  燃焼器
５  フレームロッド
６  燃焼空気供給器
７  第１のシロキサン除去装置
８  第２のシロキサン除去装置
９  制御器
１０  表示器
１１  開閉弁
１２  開閉弁
１３  開閉弁
１４  第１のガス流路
１５  第２のガス流路
１６  バイパス経路
１７  燃料ガス経路
１８  アノードオフガス経路
１９  原料ガス供給器
２０  水素生成装置
２１  水供給器
２２  第１の原料ガス流路
１００、２００  燃料電池システム
【図１】
2014182924.tif 000003
【図２】
2014182924.tif 000004
【図３】
2014182924.tif 000005
【図４】
2014182924.tif 000006